(57)【要約】      （修正有）【課題】人体中足部のみを強調して締める付け、２４時間連続着用ができ、効果的なサポート機能を発揮することができる足先サポーターを提供する。【解決手段】５本の足指を個々にサポートするとともに足指を突出させる開口を有する足指部３と、足指部に連接して設けられた、アーチ状静脈を含む人体中足部を全周から締め付ける圧迫部１と、圧迫部の末端に設けられた履き口部２とを有し、足指部及び履き口部に対して圧迫部の弾性伸縮力を高めた。【選択図】図１
0003210774.tif 000002
【実用新案登録請求の範囲】
【請求項１】
足先をサポートする足先サポーターにおいて、５本の足指を個々にサポートするとともに前記足指を突出させる開口を有する足指部と、前記足指部に連接して設けられた、アーチ状静脈を含む人体中足部を全周から締め付ける圧迫部と、前記圧迫部の末端に設けられた履き口部とを有し、前記足指部及び前記履き口部に対して前記圧迫部の弾性伸縮力は、前記足指部及び前記履き口部の弾性伸縮力より高いことを特徴とする足先サポーター。
【請求項２】
前記足先部及び前記圧迫部及び前記履き口部は、編み糸と前記編み糸に編み込まれたゴム糸とを一連の編み構成として有し、前記ゴム糸が編み込まれたコースの数は、前記圧迫部より前記履き口部が少ないことを特徴とする請求項１記載の足先サポーター。
【考案の詳細な説明】
【技術分野】
【０００１】  本考案は、人体足先をサポートする足先サポーターに関する。
【背景技術】
【０００２】  従来より、足指を包むようになっている靴下のつま先に近い人体中足部の締め付け力を他の部分より強くし、血行等の改善を行う靴下が考案されていた。【０００３】  しかし、上記考案は靴下を形成するものであり、足首以下の足先全体を締め付け、人体中足部のみを強調して締める付けるものでは無かった。従って、２４時間連続して着用しずらいものであった。
【先行技術文献】
【特許文献】
【０００４】
【特許文献１】  実登第２５３４７８１号  公報
【考案の概要】
【考案が解決しようとする課題】
【０００５】  以上述べた従来の靴下構成では、連続着用が困難であったため、効果的なサポート機能を発揮することができなかった。
【課題を解決するための手段】
【０００６】  本考案は、足先をサポートする足先サポーターにおいて、５本の足指を個々にサポートするとともに足指を突出させる開口を有する足指部と、足指部に連接して設けられた、アーチ状静脈を含む人体中足部を全周から締め付ける圧迫部と、圧迫部の末端に設けられた履き口部とを有し、足指部及び履き口部に対して圧迫部の弾性伸縮力は、足指部及び履き口部の弾性伸縮力より高いことを特徴とする足先サポーター。【０００７】  また、本考案の足先部及び圧迫部及び履き口部は、編み糸に編み込まれたゴム糸を一連の編み構成として有し、ゴム糸が編み込まれたコースの数は、圧迫部より履き口部が少ないことを特徴とするものである。
【考案の効果】
【０００８】  ２４時間連続着用ができるので、連続して人体中足部を全周から締め付けることができ、動静脈瘻（動脈と静脈をつなぐ抜け道血管）の発生を防ぎ、足先のむくみや冷えを効果的に防止することができる。
【図面の簡単な説明】
【０００９】
【図１】本考案の足先サポーターを着用した時の外観斜視図
【図２】本考案の足先サポーターの外観斜視図
【図３】本考案の足先サポーターの圧迫部の編組織図
【図４】本考案の足先サポーターの履き口部の編組織図
【図５】本考案の足先サポーターの足指部の編組織図
【考案を実施するための形態】
【００１０】以下、本考案の実施形態を図１〜図５に基づいて説明する。
【００１１】  図１は、本考案の足先サポーターの着用時の外観斜視図である。この足先サポーターは、アーチ状静脈を含む人体中足部を全周から締め付ける圧迫部１と、その末端に設けられた履き口部２と、圧迫部１の先端側に設けられた足指部３から構成される。
【００１２】  前記アーチ状静脈とは、足の静脈には大伏在静脈と小伏在静脈がありこの２つの静脈をつなぐ甲部分のアーチ状の静脈のことである。
【００１３】  また、図２にあるように足指部３の先端には人体足指を突出させる開口４が設けられている。
【００１４】  また、図示できていないが、圧迫部１、履き口部２、足指部３は全周に構成されており、全周から人体足先を包み込むようになっている。また、足指部３は、親指、第２指、第３指、第４指、小指ごとに分離された開口４が設けられており、足指の先が突出するように開放された形状である。
【００１５】  また、弾力性を持つゴム糸５を編地の各コース６に付加する本数を変えることにより、圧迫部１、履き口部２、足指部３の各部位別に弾性伸縮性を変化させている。
【００１６】  圧迫部１は、人体の動静脈瘻の血流を締め付ける為に、弾性伸縮性を１番強くし、履き口部２は、圧迫部１よりも弾性伸縮性を弱くし、履きやすくなるよう考案した。又、足指部３は５指に分かれておりゴム糸を付加せず、長時間の着用でも指の動きが自由にでき快適に着用できるよう配慮している。
【００１７】  図３は、圧迫部１の編組織図ある。圧迫部１は、編み糸７で構成されるコース６の全てにゴム糸５を付加した編組織であり、最も強い伸縮性を有する。全てのコース６に対してゴム糸５を１００％挿入した状態である。
【００１８】  図４は、履き口部２の編組織図ある。履き口部２は、編み糸７で構成されるコース６の半分にゴム糸５を付加した編組織であり、図３の編地より弾性がやや弱くなる。各コース６に対してゴム糸５が５０％挿入されている状態である。
【００１９】  図５は、足指部３の編組織図ある。ゴム糸５を付加していない編組織で、最も弱い着用感である。指先部の締め付けを弱くする事で過度な締め付け感を少なくし、長時間の着用や就寝時の着用も可能である。
【００２０】  以上の構成により、圧迫部１が人体中足部を全周から締め付けることができ、動静脈瘻（動脈と静脈をつなぐ抜け道血管）の発生を防ぐように作用する。２４時間連続着用ができるので、連続して人体中足部を締め付け、効果的に抜け道血管の発生を防止する。
【００２１】  前記、動静脈瘻とは動脈から直接静脈につながっている血管で、動脈という大通りから続く脇道のような抜け道的な血管のことを指す。この抜け道血管が開くと静脈の血流が増加し急激に圧力が高まるので静脈内のリンパ水が血管の外にしみ出しむくみの原因になる。
【００２２】  次に、上記構成の足先サポーターを使用したときの効果について以下に説明する。
【００２３】  足先サポーターの部位別に弾性伸縮性を施した着圧効果により、中足部の甲部分に位置する動静脈瘻の発生を防ぎ、足のむくみや冷えを防止する事ができる。つまり、動脈と静脈をつなぐ抜け道血管を開きにくくし、動脈の血液が大量に静脈に流れる事を止める効果がある。
【００２４】  ５本の足指をサポートするとともに、それぞれの開口より足指の先端を突出させる構成であるため、それぞれの足指が抵抗となって、サポーターが脱げにくい。
【００２５】  つま先だけの形状の為、靴下の中やパンスト、タイツなどのインナーソックスとして装着ができ、又、パンプスインとしても着用が可能である。アウターの着こなしを妨げることなく、常時着用することが可能である。
【００２６】  長時間のデスクワークや欧米化した椅子の様式スタイルへと変化した現在では、下肢のむくみや血流不足による冷えは、現代人にとって大きな悩みである。本発明は、その血流の流れを改善する事が可能なサポーターである。
【００２７】  足先だけの形状なので、日常生活の中で２４時間着用することが可能であるため、中足部甲部分の血管を締め付ける事により、抜け道血管の暴走を止める効果があり、リンパ水の発生を防ぐ効果がある。このため、足のむくみや血流の流れを改善することが可能である。
【符号の説明】
【００２８】１  圧迫部
２  履き口部
３  足指部
４  開口
５  ゴム糸
６  コース
７  編み糸
【図１】
0003210774.tif 000003
【図２】
0003210774.tif 000004
【図３】
0003210774.tif 000005
【図４】
0003210774.tif 000006
【図５】
0003210774.tif 000007